(57)【要約】      （修正有）【課題】摩耗粉の滞留を抑制し、長期に亘って計時精度に優れたアンクル、調速脱進機、ムーブメント及び時計を提供する。【解決手段】てんぷの振り石が係脱するアンクルハコ１０５の側面１１０，１１１に、少なくとも側面１１０，１１１上で開口する凹部１２０が形成されている。この構成により、アンクルハコ１０５の側面１１０，１１１と振り石との摩耗により、側面１１０，１１１上で発生した摩耗粉を凹部１２０内で収容することができる。【選択図】図５
2018155586.tif 000002
【特許請求の範囲】
【請求項１】
てんぷの振り石が係脱するアンクルハコの側面に、少なくとも前記側面上で開口する凹部が形成されていることを特徴とするアンクル。
【請求項２】
前記凹部は、前記側面を含む二面以上で開口していることを特徴とする請求項１に記載のアンクル。
【請求項３】
前記振り石は、前記側面の面内方向のうち第１方向に沿って摺動し、
前記凹部は、前記側面における前記第１方向に沿う前記振り石の摺動領域に形成されていることを特徴とする請求項１又は請求項２に記載のアンクル。
【請求項４】
前記凹部は、前記第１方向に沿って延在していることを特徴とする請求項３に記載のアンクル。
【請求項５】
前記摺動領域は、
前記振り石が接触する摺動面と、
前記摺動面に連なり前記振り石との接触を避ける逃げ面と、を有し、
前記凹部は、前記逃げ面に形成されていることを特徴とする請求項３又は請求項４に記載のアンクル。
【請求項６】
請求項１から請求項５の何れか１項に記載のアンクルと、
往復回動可能に構成されるとともに、前記アンクルハコに係脱可能な振り石を有するてんぷと、
回転可能に構成されるとともに、前記アンクルのつめ石が係脱可能ながんぎ車と、を備えていることを特徴とする調速脱進機。
【請求項７】
請求項６に記載の調速脱進機を備えていることを特徴とするムーブメント。
【請求項８】
請求項７に記載のムーブメントを備えていることを特徴とする時計。
【発明の詳細な説明】
【技術分野】
【０００１】
本発明は、アンクル、調速脱進機、ムーブメント及び時計に関する。
【背景技術】
【０００２】
機械式時計に搭載される調速脱進機では、てんぷの往復振動によりてんぷの振り石がアンクルにおけるアンクルハコの側面に係脱することで、アンクルが往復回動する。
【０００３】
ところで、上述した調速脱進機では、アンクルハコの側面と振り石とが係脱する際に、アンクルハコの側面が振り石との摺動により摩耗する。摩耗により発生した摩耗粉がアンクルハコの側面上に滞留すると、アンクルハコと振り石との摺動抵抗が増加する。この場合には、てんぷの振り角が低下する等、計時精度が低下するおそれがある。
【０００４】
ここで、例えば下記特許文献１では、アンクルハコの側面のうち振り石との接触部分に、弾性変形可能な弾性リップを形成する構成が開示されている。この構成によれば、アンクルハコと振り石との接触時に弾性リップが弾性変形することで、アンクルハコと振り石との衝撃を緩和するとされている。
【先行技術文献】
【特許文献】
【０００５】
【特許文献１】特開２０１２−３２３９９号公報
【発明の概要】
【発明が解決しようとする課題】
【０００６】
しかしながら、上述した特許文献１のように、仮にアンクルハコと振り石との衝撃を緩和した場合であっても、摩耗粉は少なからず発生する。そのため、アンクルハコの側面上には、アンクルハコと振り石との係脱に伴い、除々に摩耗粉が滞留するおそれがある。
【０００７】
また、アンクルハコと振り石との潤滑性能を向上させ、摩耗量を低減させるために、アンクルハコの側面に潤滑油を供給することも考えられる。
しかしながら、仮にアンクルハコの側面上で摩耗粉が発生した場合には、アンクルハコの側面上で潤滑油と摩耗粉とが混ざり合うことで、潤滑油の粘度が増加するおそれがある。そのため、所望の潤滑性能を得ることが難しかった。
【０００８】
本発明は、このような事情に考慮してなされたもので、その目的は、摩耗粉の滞留を抑制し、長期に亘って計時精度に優れたアンクル、調速脱進機、ムーブメント及び時計を提供することである。
【課題を解決するための手段】
【０００９】
上記課題を解決するために本発明の一態様に係るアンクルは、てんぷの振り石が係脱するアンクルハコの側面に、少なくとも前記側面上で開口する凹部が形成されている。
【００１０】
この構成によれば、アンクルハコの側面と振り石との摩耗により、側面上で発生した摩耗粉を凹部内で収容することができる。これにより、摩耗粉がアンクルハコの側面上で滞留するのを抑制し、アンクルハコの側面と振り石との摺動抵抗を長期に亘って良好に維持できる。これにより、長期に亘って優れた計時精度を維持できる。
さらに、本態様では、凹部内に摩耗粉を収容できるため、アンクルハコの側面上に潤滑油を供給したとしても、潤滑油と摩耗粉がアンクルハコの側面上で混ざり合うのを抑制できる。これにより、潤滑油の粘度上昇を抑制し、長期に亘って摩耗量を低減できる。
【００１１】
上記態様のアンクルにおいて、前記凹部は、前記側面を含む二面以上で開口していてもよい。
この構成によれば、凹部がアンクルハコの側面以外の部分においても開口していることで、アンクルハコの側面上で発生した摩耗粉が凹部を通過してアンクルから排出される。これにより、アンクルハコの側面と振り石との摺動抵抗を長期に亘って良好に維持できる。
【００１２】
上記態様のアンクルにおいて、前記振り石は、前記側面の面内方向のうち第１方向に沿って摺動し、前記凹部は、前記側面における前記第１方向に沿う前記振り石の摺動領域に形成されていてもよい。
この構成によれば、凹部がアンクルハコの側面において摺動領域以外の部分に形成されている場合に比べてアンクルハコの側面上で発生した摩耗粉を速やかに凹部内に収容できる。これにより、アンクルハコの側面上で摩耗粉が滞留するのを確実に抑制できる。
【００１３】
上記態様のアンクルにおいて、前記凹部は、前記第１方向に沿って延在していてもよい。
この構成によれば、側面における第１方向に直交する方向（振り石の摺動方向に直交する方向）において、振り石と側面との接触面積を低減できる。また、振り座がアンクルハコの側面上を摺動する際において、振り座と凹部の開口縁との引っ掛かりを抑制できる。これにより、アンクルハコの側面上において、振り石がスムーズに摺動することになるので、動作信頼性の更なる向上を図ることができる。
【００１４】
上記態様のアンクルにおいて、前記摺動領域は、前記振り石が接触する摺動面と、前記摺動面に連なり前記振り石との接触を避ける逃げ面と、を有し、前記凹部は、前記逃げ面に形成されていてもよい。
この構成によれば、摺動領域のうち振り石との摺動面との摺動により摺動面上に発生した摩耗粉は、逃げ面の凹部内に収容される。この場合、摺動面上に凹部が開口していないので、摺動面上を振り石がスムーズに摺動することになる。これにより、動作信頼性の向上を図ることができる。
【００１５】
本発明の一態様に係る調速脱進機は、上記態様のアンクルと、往復回動可能に構成されるとともに、前記アンクルハコに係脱可能な振り石を有するてんぷと、回転可能に構成されるとともに、前記アンクルのつめ石が係脱可能ながんぎ車と、を備えている。
本発明の一態様に係るムーブメントは、上記態様の調速脱進機を備えている。
本発明の一態様に係る時計は、上記態様のムーブメントを備えている。
この構成によれば、上記態様のアンクルを備えているため、長期に亘って計時精度に優れた、動作信頼性の高い調速脱進機、ムーブメント及び時計を提供できる。
【発明の効果】
【００１６】
本発明の一態様によれば、摩耗粉の滞留を抑制し、長期に亘って計時精度に優れたアンクル、調速脱進機、ムーブメント及び時計を提供することができる。
【図面の簡単な説明】
【００１７】
【図１】実施形態に係る時計の外観図である。
【図２】実施形態に係るムーブメントを表側から見た平面図である。
【図３】ムーブメントのうち、調速脱進機を含む部分の断面図である。
【図４】実施形態に係る調速脱進機を表側から見た平面図である。
【図５】アンクルハコの側面図である。
【図６】図５のＶＩ−ＶＩ線に相当する断面図である。
【図７】実施形態の変形例を示すアンクルハコの側面図である。
【図８】実施形態の変形例を示すアンクルハコの側面図である。
【図９】実施形態の変形例を示すアンクルハコの側面図である。
【図１０】実施形態の変形例を示すアンクルハコの断面図である。
【図１１】実施形態の変形例を示すアンクルハコの側面図である。
【図１２】図１１のＸＩＩ−ＸＩＩ線に相当する断面図である。
【図１３】実施形態の変形例を示すアンクルハコの側面図である。
【図１４】図１３のＸＩＶ−ＸＩＶ線に相当する断面図である。
【図１５】実施形態の変形例を示すアンクルハコの断面図である。
【図１６】実施形態の変形例を示すアンクルハコの断面図である。
【図１７】実施形態の変形例を示すアンクルハコの断面図である。
【図１８】実施形態の変形例を示すアンクルハコの断面図である。
【発明を実施するための形態】
【００１８】
以下、本発明に係る実施形態について図面を参照して説明する。
（第１実施形態）
［時計］
図１は、時計１の外観図である。なお、以下に示す各図では、図面を見やすくするため、時計用部品のうち一部の図示を省略しているとともに、各時計用部品を簡略化して図示している場合がある。
図１に示すように、本実施形態の時計１は、ムーブメント２や文字板３、各種指針４〜６等が時計ケース７内に組み込まれて構成されている。
【００１９】
時計ケース７は、ケース本体１１と、ケース蓋（不図示）と、カバーガラス１２と、を備えている。ケース本体１１の側面のうち、３時位置（図１の右側）にはりゅうず１５が設けられている。りゅうず１５は、ケース本体１１の外側からムーブメント２を操作するためのものである。りゅうず１５は、ケース本体１１内に挿通された巻真１９に固定されている。
【００２０】
［ムーブメント］
図２は、ムーブメント２を表側から見た平面図である。
図２に示すように、ムーブメント２は、ムーブメント２の基板を構成する地板２１に複数の歯車体等が回転可能に支持されて構成されている。なお、以下の説明では、地板２１に対して時計ケース７のカバーガラス１２側（文字板３側）をムーブメント２の「裏側」と称し、ケース蓋側（文字板３側とは反対側）をムーブメント２の「表側」と称する。また、以下で説明する各歯車体は、何れもムーブメント２の表裏面方向を軸方向として設けられている。
【００２１】
地板２１には、上述した巻真１９が組み込まれている。巻真１９は、日付や時刻の修正に用いられる。巻真１９は、その軸線周りに回転可能、かつ軸方向に移動可能とされている。巻真１９は、おしどり２３、かんぬき２４、かんぬきばね２５及び裏押さえ２６を含む切換装置によって、軸線方向の位置が決められている。
巻真１９を回転させると、つづみ車（不図示）の回転を介してきち車３１が回転する。きち車３１の回転により丸穴車３２及び角穴車３３が順に回転し、香箱車３４に収容されたぜんまい（不図示）が巻き上げられる。
【００２２】
香箱車３４は、地板２１と香箱受３５との間で回転可能に支持されている。二番車４１、三番車４２、四番車４３は、地板２１と輪列受４５との間で回転可能に支持されている。
ぜんまいの復元力により香箱車３４が回転すると、香箱車３４の回転により二番車４１、三番車４２及び四番車４３が順に回転する。香箱車３４、二番車４１、三番車４２及び四番車４３は、表輪列を構成する。
【００２３】
上述した表輪列のうち、二番車４１には、分針５（図１参照）が取り付けられている。二番車４１の回転に伴って回転する筒車（不図示）には、上述した時針４が取り付けられている。また、秒針６（図１参照）は、四番車４３の回転に基づいて回転するように構成されている。
【００２４】
＜調速脱進機＞
図３は、ムーブメント２のうち、調速脱進機５１を含む部分（図２のＩＩＩ−ＩＩＩ線に相当する部分）の断面図である。
図３に示すように、ムーブメント２には、調速脱進機５１が搭載されている。調速脱進機５１は、てんぷ５２、がんぎ車５３及びアンクル５４を有している。
【００２５】
てんぷ５２は、がんぎ車５３を調速する（がんぎ車５３を一定速度で脱進させる。）。てんぷ５２は、てん真６１、てん輪６２及びひげぜんまい６３を主に有している。
てん真６１は、地板２１とてんぷ受６５との間で、第１軸線Ｏ１回りに回動可能に支持されている。てん真６１は、ひげぜんまい６３から伝えられた動力によって第１軸線Ｏ１回りに一定の振動周期で往復回動する。
【００２６】
てん真６１における表裏面方向の裏側端部には、振り座６７が外嵌されている。振り座６７は、第１軸線Ｏ１と同軸上に配置された筒状に形成されている。振り座６７の大つば６７ａにおいて、第１軸線Ｏ１回りの周方向の一部には、振り石６８が設けられている。振り石６８は、例えば表裏面方向に延びる半円柱形状に形成されている（図４参照）。振り石６８は、大つば６７ａから裏側に突出している。なお、振り石６８は、てん輪６２に設けられていても構わない。
一方、振り座６７の小つば６７ｂにおいて、第１軸線Ｏ１回りの周方向で振り石６８に対応する位置にはツキガタ６６が形成されている。ツキガタ６６は、小つば６７ｂの一部が第１軸線Ｏ１における径方向の内側に窪んで形成されている。
【００２７】
てん輪６２は、リング状に形成されている。てん輪６２は、てん真６１における振り座６７よりも表側に位置する部分に、圧入等によって固定されている。
【００２８】
ひげぜんまい６３は、表裏面方向から見た平面視で渦巻状の平ひげである。ひげぜんまい６３は、てん輪６２よりも表側に配置されている。ひげぜんまい６３の内端部は、ひげ玉６９を介しててん真６１に連結されている。ひげぜんまい６３の外端部は、ひげ持７０を介しててんぷ受６５に接続されている。
【００２９】
図４は、調速脱進機５１の平面図である。
図４に示すように、がんぎ車５３は、がんぎ真７１と、がんぎかな７２と、がんぎ歯車７３と、を有している。
【００３０】
がんぎ真７１は、地板２１と輪列受４５（図２参照）との間で第２軸線Ｏ２回りに回転可能に支持されている。
がんぎかな７２は、がんぎ真７１に形成されている。がんぎかな７２は、上述した四番車４３（図２参照）に噛合している。すなわち、がんぎ車５３は、四番車４３の回転に伴い第２軸線Ｏ２回りに回転する。
がんぎ歯車７３は、がんぎ真７１におけるがんぎかな７２に対して裏側に位置する部分に固定されている。がんぎ歯車７３には、第２軸線Ｏ２の径方向に突出する歯部７３ａが、第２軸線Ｏ２回りの周方向で間隔をあけて複数形成されている。
【００３１】
＜アンクル＞
アンクル５４は、てんぷ５２とがんぎ車５３との間を接続している。具体的に、アンクル５４は、アンクル真８１と、アンクル体８２と、一対のつめ石８３と、剣先８５と、を備えている。
図３に示すように、アンクル真８１は、アンクル受７５との間で第３軸線Ｏ３回りに回動可能に支持されている。
【００３２】
アンクル体８２は、アンクル体８２は、アンクルビーム９１及びアンクルサオ９３により、表裏面方向から見た平面視でＴ字状に形成されている。
アンクルビーム９１は、第３軸線Ｏ３の径方向に沿って延在している。アンクルビーム９１の延在方向における中央部には、上述したアンクル真８１が固定されている。アンクルビーム９１における延在方向の両端部には、上述したつめ石８３がそれぞれ取り付けられている。各つめ石８３は、アンクル５４の往復回動に伴いがんぎ車５３の歯部７３ａに交互に係合する。
【００３３】
アンクルサオ９３は、アンクルビーム９１の延在方向における中央部から、第３軸線Ｏ３の径方向のうちアンクルビーム９１に対して交差する方向（以下、単に第１方向という。）に片持ちで延在している。アンクルサオ９３は、アンクル５４の第３軸線Ｏ３回りの回動に伴い、地板２１に設けられたドテピン（不図示）に当接する。これにより、アンクル５４の回動範囲（作動角）が制限されている。
【００３４】
アンクルサオ９３の先端部には、アンクルサオ９３に対して拡幅した拡幅部９５がアンクルサオ９３に一体形成されている。拡幅部９５には、一対のクワガタ１００，１０１が一体に形成されている。クワガタ１００，１０１は、クワガタ接続部９４の幅方向で互いに間隔をあけた状態で、第１方向の外側に向けて延在している。具体的に、クワガタ１００，１０１は、第１方向に沿って直線状に延在した後、第１方向の外側に向かうに従い各クワガタ１００，１０１同士の間隔が漸次広がるように傾斜して延在している。
【００３５】
各クワガタ１００，１０１の基端部（直線状に延在している部分）及び拡幅部９５で画成された部分は、第１方向の外側に向けて開口するアンクルハコ１０５を形成している。アンクルハコ１０５は、上述したてんぷ５２が回動することにより振り石６８が係脱可能に収容される。具体的に、アンクルハコ１０５の側面は、拡幅部９５により画成された第１側面１０９と、クワガタ１００の基端部により画成された第２側面１１０と、クワガタ１０１の基端部により画成された第３側面１１１と、を有している。
【００３６】
第２側面１１０及び第３側面１１１は、それぞれ第１方向に沿って直線状に延在している。第２側面１１０及び第３側面１１１における少なくとも第１方向の先端部は、てんぷ５２の回動により振り石６８の外周面が第１方向に沿って摺動する摺動領域となっている。
【００３７】
剣先８５は、拡幅部９５の裏側に固定されている。剣先８５は、平面視において、各クワガタ１００，１０１の間に位置する部分（アンクルハコ１０５の内側）を第１方向の外側に向けて片持ちで延在している。剣先８５の幅は、第１方向の外側に向かうに従い漸次縮小している。剣先８５は、アンクル５４の誤回動を防止するためのものである。すなわち、剣先８５は、振り石６８がアンクルハコ１０５から離脱した状態において、振り座６７の外周面のうちツキガタ６６以外の部分に摺接可能とされている。一方で、剣先８５は、アンクルハコ１０５の何れかの側面１１０，１１１と振り石６８とが係合しているときに、振り座６７のツキガタ６６内に収容される。すなわち、ツキガタ６６は、剣先８５が小つば６７ｂに接触するのを防止する逃げ部として機能する。
【００３８】
図５は、アンクルハコ１０５を示す側面図である。図６は、図５のＶＩ−ＶＩ線に相当する断面図である。
図５、図６に示すように、上述したアンクルハコ１０５の各側面１１０，１１１には、側面１１０，１１１上でそれぞれ開口する凹部１２０が形成されている。凹部１２０は、図６に示す表裏面方向に沿う断面視で矩形状に形成されている。図５に示すように、凹部１２０は、第１方向及び表裏面方向に直交する第２方向（側面１１０，１１１の法線方向）から見た側面視で円形状に形成されている。なお、凹部１２０の開口部（側面１１０，１１１上に位置する部分）の直径は、５〜１０μｍ程度に形成されている。但し、凹部１２０の開口部での直径は、摩耗粉の粒径（例えば、１〜２μｍ程度）よりも大きく、側面１１０，１１１における摺動領域の第１方向での長さ（例えば、６０μｍ程度）よりも小さければ適宜変更が可能である。
【００３９】
凹部１２０は、表裏面方向及び第１方向に間隔をあけて複数形成されている。本実施形態において、各凹部１２０間の間隔は、表裏面方向及び第１方向において、不定のピッチで形成されている。但し、各凹部１２０は、一定のピッチで形成されていてもよい。また、各凹部１２０において、側面視形状及び断面視形状を互いに異ならせても構わない。
【００４０】
［作用］
次に、上述した実施形態における時計１の作用を説明する。以下の説明では、主に調速脱進機５１の作用について説明する。
本実施形態の時計１では、図３、図４に示すてんぷ５２の第１軸線Ｏ１回りの往復回動により、振り石６８がアンクルハコ１０５に係脱する。具体的に、振り石６８がアンクルハコ１０５から脱出している状態において、てんぷ５２が第１軸線Ｏ１回りの一方に回動すると、振り石６８がアンクルハコ１０５内に進入する。アンクルハコ１０５内に進入した振り石６８は、アンクルハコ１０５内において側面１１０，１１１のうち一方の摺動面（例えば、第２側面１１０）に接触する。振り石６８は、てんぷ５２の一方への回動に伴い第２側面１１０上を第１方向に摺動することで、アンクル５４が第３軸線Ｏ３回りの一方へ押圧される。これにより、アンクル５４が第３軸線Ｏ３回りの一方に回動する。
【００４１】
また、てんぷ５２が第１軸線Ｏ１回りの他方に回動すると、振り石６８はアンクルハコ１０５内において、第３側面１１１に接触する。振り石６８は、てんぷ５２の他方への回動に伴い第３側面１１１上を第１方向に沿って摺動することで、アンクル５４が第３軸線Ｏ３回りの他方に回動する。これにより、アンクル５４が第３軸線Ｏ３回りに往復回動する。
【００４２】
アンクル５４の往復回動に伴い、一対のつめ石８３ががんぎ車５３のがんぎ歯車７３に交互に係脱する。この際、一対のつめ石８３のうち、一方のつめ石が歯部７３ａに係合しているとき、一時的に回転が停止する。また、がんぎ車５３は、双方のつめ石８３が歯部７３ａから離脱しているとき、回転する。これらの動作が連続的に繰り返されることにより、がんぎ車５３が間欠的に回転する。そして、がんぎ車５３が間欠的に回転することで、上述した表輪列や筒車の回転が制御される。これにより、時計１が時を刻む。
【００４３】
ところで、上述したようにアンクルハコ１０５の側面１１０，１１１は、てんぷ５２の往復回動により振り石６８が第１方向に沿って摺動する。この際、側面１１０，１１１上には、側面１１０，１１１と振り石６８との摩耗により摩耗粉が発生するおそれがある。
【００４４】
ここで、本実施形態では、アンクルハコ１０５の側面（側面１１０，１１１）上で開口する凹部１２０が形成されている構成とした。
この構成によれば、側面１１０，１１１上で発生した摩耗粉を凹部１２０内で収容することができる。これにより、摩耗粉が側面１１０，１１１上で滞留するのを抑制し、側面１１０，１１１と振り石６８との摺動抵抗を長期に亘って良好に維持できる。これにより、長期に亘って優れた計時精度を維持できる。
【００４５】
さらに、本実施形態では、凹部１２０内に摩耗粉を収容できるため、側面１１０，１１１上に潤滑油を供給したとしても、潤滑油と摩耗粉が側面１１０，１１１上で混ざり合うのを抑制できる。これにより、潤滑油の粘度上昇を抑制し、長期に亘って摩耗量を低減できる。
【００４６】
本実施形態では、凹部１２０が側面１１０，１１１の摺動領域に形成されているため、凹部１２０が摺動領域以外の部分に形成されている場合に比べて側面１１０，１１１上で発生した摩耗粉を速やかに凹部１２０内に収容できる。これにより、側面１１０，１１１上で摩耗粉が滞留するのを確実に抑制できる。
【００４７】
そして、本実施形態の調速脱進機５１、ムーブメント２及び時計１によれば、上述したアンクル５４を備えているため、長期に亘って計時精度に優れた、動作信頼性の高い調速脱進機５１、ムーブメント２及び時計１を提供できる。
【００４８】
（変形例）
次に、上述した実施形態の各変形例について説明する。
上述した実施形態では、凹部１２０が側面視円形状に形成された構成について説明したが、この構成のみに限られない。凹部は、例えば溝状であっても構わない。この場合、凹部は側面１１０，１１１上のみで開口していてもよく、側面１１０，１１１に加えて側面１１０，１１１以外の面（側面１１０，１１１を含む少なくとも二面）で開口していても構わない。
【００４９】
例えば図７に示す凹部２００は、側面１１０，１１１において、アンクルハコ１０５を表裏面方向に貫通している。すなわち、図７に示す凹部２００は、側面１１０，１１１に加えて、クワガタ１００，１０１の表裏面上でも開口している。このように、凹部２００がアンクルハコ１０５の側面以外の部分においても開口していることで、側面１１０，１１１上で発生した摩耗粉が凹部２００を通過してアンクル５４から排出される。これにより、側面１１０，１１１上と振り石６８との摺動抵抗を長期に亘って良好に維持できる。
【００５０】
また、凹部を溝状に形成した場合、凹部の延在方向は、表裏面方向に限られない。例えば図８に示す凹部２１０のように、側面１１０，１１１の面内方向において、第１方向及び表裏面方向に交差する方向に傾斜して延在しても構わない。また、凹部２１０は、第２方向でクワガタ１００，１０１を貫通していても構わない。
【００５１】
また、図９に示すように、凹部２２０が、側面１１０，１１１において、振り石６８の摺動方向（第１方向）に沿って延在していても構わない。この場合には、表裏面方向において、振り石６８と側面１１０，１１１との接触面積を低減できる。また、振り石６８が側面１１０，１１１上を摺動する際において、振り石６８と凹部２２０の開口縁との引っ掛かりを抑制できる。これにより、側面１１０，１１１上において、振り石６８がスムーズに摺動することになるので、動作信頼性の更なる向上を図ることができる。
【００５２】
上述した実施形態では、アンクルハコ１０５の側面において、振り石６８の摺動領域が他の面と同一面上に位置する（滑らかに連なる）構成について説明したが、この構成のみに限られない。図１０に示すように、側面１１０，１１１のうち、振り石６８の摺動領域２３０を摺動領域２３０以外の面に対して第２方向で膨出させ、摺動領域２３０に例えば上述した凹部２００を形成しても構わない。
【００５３】
さらに、図１１、図１２に示すように、側面１１０，１１１において、少なくとも振り石６８との摺動領域２４０を、断面視で台形状に形成しても構わない。具体的に、摺動領域２４０は、振り石６８が摺動する摺動面２４０ａと、振り石６８との接触を避ける逃げ面２４０ｂと、を有している。
【００５４】
摺動面２４０ａは、摺動領域２４０のうち表裏面方向の中央部に位置している。摺動面２４０ａは、断面視において、表裏面方向及び第１方向に沿って延びる平坦面とされている。なお、摺動面２４０ａは、湾曲面等であっても構わない。
逃げ面２４０ｂは、摺動領域２４０のうち表裏面方向の両端部にそれぞれ位置している。逃げ面２４０ｂは、摺動面２４０ａにおける表裏面方向の両端部から表裏面方向の外側に向かうに従い、クワガタ１００，１０１の厚さが増加する方向に傾斜している。各逃げ面２４０ｂには、凹部２４５が形成されている。凹部２４５は、表裏面方向に延在するとともに、第１方向に間隔をあけて複数形成されている。
【００５５】
この構成によれば、摺動領域２４０のうち振り石６８との摺動面２４０ａとの摺動により摺動面２４０ａ上に発生した摩耗粉は、逃げ面２４０ｂの凹部２４５内に収容される。この場合、摺動面２４０ａ上に凹部２４５が開口していないので、摺動面２４０ａ上を振り石６８がスムーズに摺動することになる。これにより、動作信頼性の向上を図ることができる。なお、図１３，１４に示すように、凹部２５０は、逃げ面２４０ｂにおいて第１方向に沿って延在していても構わない。
【００５６】
また、図１１〜図１４の例では、摺動領域２４０が台形状（中央部に摺動面２４０ａが位置し、両側に逃げ面２４０ｂが位置する形状）に形成した場合について説明したが、この構成のみに限られない。すなわち、摺動領域２４０において、摺動面２４０ａと逃げ面２４０ｂとを有する構成であれば構わない。この場合、表裏面方向の一方に摺動面が位置し、表裏面方向の他方に逃げ面が位置する構成であっても構わない。
【００５７】
なお、本発明の技術範囲は上述した実施形態に限定されるものではなく、本発明の趣旨を逸脱しない範囲において種々の変更を加えることが可能である。
例えば、上述した実施形態では、凹部の断面視形状が矩形状に形成された構成について説明したが、この構成のみに限られない。例えば図１５に示す三角形状の凹部２６０や、図１６に示す台形状の凹部２６１、図１７に示す逆台形状の凹部２６２、図１８に示す半円形状の凹部２６３等、適宜変更が可能である。但し、凹部は、開口部の寸法が最大になるように形成した方が、摩耗粉が収容され易くなる。
【００５８】
上述した実施形態では、アンクルハコ１０５の側面のうち、側面１１０，１１１に凹部を形成した場合について説明したが、この構成のみに限らず、アンクルハコ１０５の側面における任意の位置（例えば、第１側面１０９）に凹部を形成することが可能である。
【００５９】
その他、本発明の趣旨を逸脱しない範囲で、上述した実施形態における構成要素を周知の構成要素に置き換えることは適宜可能であり、また、上述した各変形例を適宜組み合わせても構わない。
【符号の説明】
【００６０】
１…時計
２…ムーブメント
５１…調速脱進機
５２…てんぷ
５３…がんぎ車
５４…アンクル
６８…振り石
１００…クワガタ
１０１…クワガタ
１０５…アンクルハコ
１１０…第２側面（側面）
１１１…第３側面（側面）
１２０，２００，２１０，２２０，２４５，２５０，２６０，２６１，２６２，２６３…凹部
２３０…摺動領域
２４０…摺動領域
２４０ａ…摺動面
２４０ｂ…逃げ面
【図１】
2018155586.tif 000003
【図２】
2018155586.tif 000004
【図３】
2018155586.tif 000005
【図４】
2018155586.tif 000006
【図５】
2018155586.tif 000007
【図６】
2018155586.tif 000008
【図７】
2018155586.tif 000009
【図８】
2018155586.tif 000010
【図９】
2018155586.tif 000011
【図１０】
2018155586.tif 000012
【図１１】
2018155586.tif 000013
【図１２】
2018155586.tif 000014
【図１３】
2018155586.tif 000015
【図１４】
2018155586.tif 000016
【図１５】
2018155586.tif 000017
【図１６】
2018155586.tif 000018
【図１７】
2018155586.tif 000019
【図１８】
2018155586.tif 000020